(57)【要約】    【課題】組み立て工程に手間がかからず、材料コストも低く抑えることができる吹き流し形フィルタを提供すること。    【解決手段】フィルタの保持枠の支持部材を構成する断面コ字型又はＣ字型のカバー部材１７とこのカバー部材１７内に抜け止め状態に固定される支持棒１８とで濾材１２の開放端周りを挟持して該濾材１２が支持されるようにしたことを特徴とする。  【選択図】図１１
2007229568.tif 000002
【特許請求の範囲】
【請求項１】
複数の袋状の濾材が並設して保持枠に取り付けられてなる吹き流し形フィルタにおいて、
前記保持枠が、該吹き流し型フィルタの空気流入口周囲に配される外枠と、前記外枠内を仕切るように配される支持部材とからなり、
前記支持部材が、断面コ字型又はＣ字型のカバー部材と、前記カバー部材内に抜け止め状態に固定される支持棒とからなり、
前記カバー部材と支持棒とで前記濾材の開放端周りが挟持されて該濾材が支持されるようにしたことを特徴とする吹き流し形フィルタ。
【請求項２】
カバー部材の開口縁部に内側に向かう突起が設けられており、支持棒を前記カバー部材の開口を通して該カバー部材内部に挿入することで、前記カバー部材内に前記支持棒が抜け止め状態に固定されるようにしたことを特徴とする請求項１に記載の吹き流し形フィルタ。
【請求項３】
外枠は、係合一体化される断面コ字型の外側枠と内側枠とからなり、前記外側枠と内側枠とを係合させたとき、前記外枠に根元にくびれ部を有する端部突起を両端に設けた支持棒の前記端部突起を受容する空隙と前記くびれ部を受容する受け穴とが形成されるようになっており、
前記外枠の空隙に支持棒の端部突起を受容させ、前記外枠の受け穴に支持棒のくびれ部を受容させることにより、前記外枠に支持棒を抜け止め状態に固定するようにしたことを特徴とする請求項１又は２のいずれかに記載の吹き流し形フィルタ。
【請求項４】
保持枠が可燃性材料のみから構成されていることを特徴とする請求項１〜３のいずれかに記載の吹き流し形フィルタ。
【請求項５】
可燃性材料のみから構成されていることを特徴とする請求項１〜４のいずれかに記載の吹き流し形フィルタ。
【発明の詳細な説明】
【技術分野】
【０００１】
本発明は、一般ビルの空調設備、工場空調設備、電算機室や病院の空調設備などに使用されるフィルタであって、塵埃に対して高い捕集効率と低い圧力損失で塵埃保持容量が極めて大きく、長期使用が可能であり、特に中高性能フィルタに適した吹き流し形フィルタに関する。
【背景技術】
【０００２】
従来、吹き流し形フィルタとしては本出願人による製品が知られている（非特許文献１参照）。図１２及び図１３に示すように、この吹き流し形フィルタ１にあっては、該フィルタ１の空気流入口の周囲に木枠３が設けられている。木枠３は、該フィルタ１の空気流入口の周囲を構成する枠３ａと、枠３ａ内を仕切る枠３ｂとからなり、これら枠３ａ及び枠３ｂがタッカーなどで接合されている。
【０００３】
また木枠３には、複数の袋状の濾材２の入口部周囲の端部がタッカーなどで打ち付けられ、この濾材２端部と共に木枠３は、断面コ字型の亜鉛引き鋼板４からなる側板、天地板及び仕切板で覆われている。また、濾材２には保護材５が取り付けられている。保護材５は、濾材２が屈曲により、側板などを構成する亜鉛引き鋼板の角で破損するのを防止するためのものである。
【非特許文献１】日本バイリーン株式会社の２００１年６月発行の製品カタログ（製品名ＶＧ−９０ＶＧ−９８）
【発明の開示】
【発明が解決しようとする課題】
【０００４】
上記吹き流し形フィルタ１にあっては、その組立時に木枠３の組立が必要であり、また、その木枠３には濾材２の入口部周囲の端部をタッカーなどで一つ一つ止めていかなければならず、組み立て工程が非常に煩雑であった。また、この吹き流し形フィルタ１にあっては、濾材２の破損防止のために保護材７を取り付けるなど、濾過性能には直接寄与しない部品も必要としていた。
【０００５】
本発明は、このような課題に鑑みなされたものであり、組み立て工程に手間がかからず、材料コストも低く抑えることができる吹き流し形フィルタを提供することを目的とするものである。
【課題を解決するための手段】
【０００６】
上記目的を達成するため、請求項１記載の発明は、複数の袋状の濾材が並設して保持枠に取り付けられてなる吹き流し形フィルタにおいて、前記保持枠が、該吹き流し型フィルタの空気流入口周囲に配される外枠と、前記外枠内を仕切るように配される支持部材とからなり、前記支持部材が、断面コ字型又はＣ字型のカバー部材と、前記カバー部材内に抜け止め状態に固定される支持棒とからなり、前記カバー部材と支持棒とで前記濾材の開放端周りが挟持されて該濾材が支持されるようにしたことを特徴とする吹き流し形フィルタをその要旨とした。
【０００７】
請求項２記載の発明は、カバー部材の開口縁部に内側に向かう突起が設けられており、支持棒を前記カバー部材の開口を通して該カバー部材内部に挿入することで、前記カバー部材内に前記支持棒が抜け止め状態に固定されるようにしたことを特徴とする吹き流し形フィルタをその要旨とした。
【０００８】
請求項３記載の発明は、外枠は、係合一体化される断面コ字型の外側枠と内側枠とからなり、前記外側枠と内側枠とを係合させたとき、前記外枠に根元にくびれ部を有する端部突起を両端に設けた支持棒の前記端部突起を受容する空隙と前記くびれ部を受容する受け穴とが形成されるようになっており、前記外枠の空隙に支持棒の端部突起を受容させ、前記外枠の受け穴に支持棒のくびれ部を受容させることにより、前記外枠に支持棒を抜け止め状態に固定するようにしたことを特徴とする吹き流し形フィルタをその要旨とした。
【０００９】
請求項４記載の発明は、保持枠が可燃性材料のみから構成されていることを特徴とする吹き流し形フィルタをその要旨とした。
【００１０】
請求項５記載の発明は、可燃性材料のみから構成されていることを特徴とする吹き流し形フィルタをその要旨とした。
【発明の効果】
【００１１】
上記構成を備えたことにより、本発明の吹き流し形フィルタにあっては、組み立て工程に手間がかからず、材料コストも低く抑えることができる、との効果を奏する。
【発明を実施するための最良の形態】
【００１２】
以下、本発明の吹き流し形フィルタ（以下、フィルタという）を図面に従ってさらに詳しく説明する。本発明のフィルタは、複数の袋状の濾材が並設して保持枠に取り付けられてなるものである。
【００１３】
図１に示すフィルタ１１では、６個の袋状の濾材１２が並設して保持枠１３に取り付けられており、各濾材１２の開放端部同士は超音波ホッチキスなどで接合されている。また、図２に示すように、袋状の濾材１２を構成する濾材片１２ａと濾材片１２ｂとの間にはセパレータ１４が縫製又は超音波接着などで断面コの字状に接合されていて、濾材１２の間隔が保持されるようになっている。
【００１４】
上記濾材１２としては特に限定されず、例えば、ガラスマットと不織布が積層された濾材、メルトブロー法によって極細繊維を形成している過程で短繊維を吹き込み、極細繊維と短繊維とを混合してい得られる濾材など、従来より吹き流し形フィルタとして使用されている濾材をそのまま使用することができる。また、濾材１２には、スパンボンド不織布やネットなどの布帛を補強材として積層したものも好適に使用できる。
【００１５】
濾材１２の面密度も特に限定されないが、好ましくは４０〜４００ｇ／ｍ2、より好ましくは６０〜３００ｇ／ｍ2、さらに好ましくは８０〜２５０ｇ／ｍ2である。濾材１２の厚さも限定されないが、好ましくは３〜２０ｍｍ、より好ましくは４〜１５ｍｍ、さらに好ましくは５〜１０ｍｍである。
【００１６】
濾材１２の具体例としては、例えばメルトブロー法によって製造された平均繊維径が０．１〜１０ミクロンの極細繊維５〜５０質量％と、平均繊維径が１０〜１００ミクロンの熱融着性繊維５０〜９５質量％とが混在し、前記熱融着性繊維の熱融着によって繊維相互が固定された不織布からなる濾材を挙げることができる。この濾材の場合、ＪＩＳ比色法効率（ＪＩＳＢ９９０８に規定される試験値）９５％以上の高性能フィルタ、同比色法効率９０％以上の準高性能フィルタ、同比色法効率８０％以上の中性能フィルタに適合させることができる。
【００１７】
濾材１２の材質としては、環境に悪影響を与え難い材料として可燃性材料のみからなることが望ましい。そのような材質とすることで、使用後の廃棄時に分別処理が不要となる上、熱源としてリサイクルすることが可能となる。また、濾材には難燃剤を含ませることもできる。この場合、リン系などのノンハロゲン系の材料とするのが望ましい。
【００１８】
袋状の濾材１２を構成する濾材片１２ａと濾材片１２ｂとの間の間隔を保持する目的で取り付けられるセパレータ１４としては、図２に示す断面コの字型のほか、Ｗ状や菱形状とすることもできる。また、セパレータ１４の材質も濾材と同じく可燃性材料を用いることが望ましい。
【００１９】
次に、保持枠について説明する。図１及び図３に示すように、保持枠１３は外枠１５と支持部材１６とからなる。図３、並びに図４Ａ、図４Ｂ、図５Ａ、図５Ｂ、図６Ａ、図６Ｂ、図７Ａ、図７Ｂに示すように、外枠１５は該フィルタ１１の空気流入口周囲に配される枠であり、係合一体化される断面コ字型の外側枠１０１と内側枠１０２とからなる。図４Ａ及び図５Ａに示すように外側枠１０１は、側枠片１０１ａと上下枠片１０１ｂとからなる。側枠片１０１ａ及び上下枠片１０１ｂの両端部は４５°に切り欠かれており、これら各片１０１ａ、１０１ｂの端部を接合することで、外枠１５の外側の枠が構成されるようになっている。また、側枠片１０１ａには、接合部材１０１ｃが突設されており、この接合部材１０１ｃが上下枠片１０１ｂの両端部に設けた窪み（図示しない）に嵌り込み、側枠片１０１ａ及び上下枠片１０１ｂの端部の接合がなされるようになっている。
【００２０】
図６Ａ及び図７Ａに示すように内側枠１０２は、側枠片１０２ａと上下枠片１０２ｂとからなる。側枠片１０２ａ及び上下枠片１０２ｂの両端部は４５°に切り欠かれており、これら各片１０２ａ、１０２ｂの端部を接合することで、外枠１５の内側の枠が構成されるようになっている。また、上下枠片１０２ｂには、接合部材１０２ｃが突設されており、この接合部材１０２ｃが側枠片１０２ａの両端部に設けた窪み（図示しない）に嵌り込み、側枠片１０２ａ及び上下枠片１０２ｂの端部の接合がなされるようになっている。
【００２１】
また、図４Ｂ、図５Ｂ、図６Ｂ、及び図７Ｂに示すように、外側枠１０１の上下枠片１０１ｂと内側枠１０２の側枠片１０２ａには、それぞれ桂柱突起１０１ｄ、１０２ｄが設けられ、外側枠１０１の側枠片１０１ａと内側枠１０２の上下枠片１０２ｂには、それぞれ前記桂柱突起１０１ｄ、１０２ｄが係合する受け穴１０１ｅ、１０２ｅが設けられており、外側枠１０１と内側枠１０２とを重ね合わせたとき、前記桂柱突起１０１ｄ、１０２ｄと受け穴１０１ｅ、１０２ｅとが係合し、外側枠１０１と内側枠１０２とが係合一体化するようになっている。
【００２２】
また、図８に示すように、外側枠１０１と内側枠１０２とを係合させたとき、前記外枠１５に後述する支持棒１８の端部突起１８ａを受容する空隙１０３とくびれ部１８ｂを受容する受け穴１０４とが形成されるように、外側枠１０１と内側枠１０２の上下枠片１０１ｂ、１０２ｂには支持棒１８の取り付け位置に対応する箇所にそれぞれ空隙１０３と受け穴１０４を形成するための凹部１０４ａ、１０４ｂが形成されている。
【００２３】
支持部材１６は前記外枠１５内を仕切るように配される。図１及び図３に示す形態では、５個の支持部材１６が外枠１５内に配されて該外枠１５内を６つに仕切っている。この支持部材１６は、図８に示すようにカバー部材１７とこのカバー部材１７内に抜け止め状態に固定される支持棒１８とからなる。
【００２４】
図９に示すように、カバー部材１７は断面コ字型又はＣ字型をなしており、このカバー部材１７の開口縁部には内側に向かう突起１７ａが設けられている。このため、このカバー部材１７の開口を通して支持棒１８をカバー部材１７内部に挿入したとき、支持棒１８が開口部分で引っ掛かり、該支持棒１８をカバー部材１７内に抜け止め状態に固定できるようになっている。そして、図１１に示すように、支持棒１８を図１１中矢印に示すようにカバー部材１７内に濾材１２の開放端周りと共に押し込みながら挿入することで、濾材１２の開放端部をカバー部材１７と支持棒１８とで挟持させ、濾材１２の支持がなされるようになっている。
【００２５】
図１０に示すように、支持棒１８の両端部には、根元にくびれ部１８ｂを有する端部突起１８ａが設けられており、図８に示すように、前記外枠１５の空隙１０３に支持棒１８の端部突起１８ａを受容させ、前記外枠１５の受け穴１０４に支持棒１８のくびれ部１８ｂを受容させることにより、前記外枠１５に支持棒１８が抜け止め状態に固定されるようになっている。
【００２６】
上述した保持枠１３の材質としては、木材、金属、合成樹脂など特に限定されないが、環境に悪影響を与え難い材料として可燃性材料のみからなることが望ましい。そのような材質とすることで、使用後の廃棄時に分別処理が不要となる上、熱源としてリサイクルすることが可能となる。また、保持枠には難燃剤を含ませることもできる。この場合、リン系などのノンハロゲン系の材料とするのが望ましい。
【００２７】
次に、本発明のフィルタの組立手順を説明する。まず、複数の袋状の濾材１２を準備し、各袋状の濾材１２を構成する濾材片１２ａと濾材片１２ｂとの間にセパレータ１４を縫製又は超音波接着などで断面コの字状となるように接合する。次いで、各濾材１２の開放端部同士を超音波ホッチキスなどで接合する。
【００２８】
次いで、各濾材１２の開放端部の接合部分に当たる部分にカバー部材１７の開口を配置する。この後、濾材１２のカバー部材１７の開口に当たる位置に支持棒１８を配置し、図１１に示すように、支持棒１８をカバー部材１７内部に押し込む。これにより、濾材１２の開放端部をカバー部材１７と支持棒１８とで挟持させ、濾材１２を支持できるようになる。
【００２９】
次いで、図１、並びに図４Ａ、図４Ｂ、図５Ａ、図５Ｂ、図６Ａ、図６Ｂ、図７Ａ、図７Ｂに示すように、外枠１５の外側枠１０１と内側枠１０２とをそれぞれ組立てる。次いで、外側枠１０１と内側枠１０２の上下枠片１０１ｂ、１０２ｂに設けた空隙１０３と受け穴１０４を形成するための凹部１０４ａ、１０４ｂに支持棒１８の端部突起１８ａとくびれ部１８ｂを配置し、外側枠１０１と内側枠１０２との間に濾材１２の開放端部を配置し、この状態で外側枠１０１と内側枠１０２とを係合させる。また、必要に応じて係合部分に接着剤を用いて接着固定する。これにより、濾材１２の開放端部を挟持する支持部材１６の支持棒１８は、外枠１５の空隙１０３に端部突起１８ａを受容され、外枠１５の受け穴１０４にくびれ部１８ｂを受容されて、前記外枠１５に支持棒１８が抜け止め状態に固定される。また、濾材１２は外側枠１０１と内側枠１０２との間に挟持されて支持されるようになる。
【００３０】
本発明のフィルタの全体の大きさとしては特に限定されないが、好ましくは外枠１５の外寸が２００〜８００ｍｍであり、実用的は、例えば２９０ｍｍ、３０５ｍｍ、５９５ｍｍ、６５０ｍｍなどの寸法を採用することができる。また、支持部材間の距離も特に限定されないが、好ましくは５０〜１５０ｍｍを採用することができる。
【００３１】
尚、本発明のフィルタは、上述の例に限定されず、特許請求の範囲に記載された範囲で自由に変更して実施することができる。
【図面の簡単な説明】
【００３２】
【図１】本発明のフィルタを示す斜視図。
【図２】本発明のフィルタの濾材を示す拡大断面図。
【図３】本発明のフィルタにおける保持枠を示す斜視図。
【図４Ａ】本発明のフィルタの外側枠の側枠片を示す斜視図。
【図４Ｂ】同じく正面図。
【図５Ａ】本発明のフィルタの外側枠の上下枠片を示す斜視図。。
【図５Ｂ】同じく正面図。
【図６Ａ】本発明のフィルタの内側枠の側枠片を示す斜視図。
【図６Ｂ】同じく正面図。
【図７Ａ】本発明のフィルタの内側枠の上下枠片を示す斜視図。。
【図７Ｂ】同じく正面図。
【図８】外枠に支持棒が抜け止め状態に固定された状態を示す拡大断面図。
【図９】支持部材のカバー部材を示す斜視図。
【図１０】支持部材の支持棒を示す斜視図。
【図１１】支持部材のカバー部材と支持棒とで濾材の開放端部を挟持させる状態を示す拡大断面図。
【図１２】従来のフィルタを示す斜視図。
【図１３】従来のフィルタの木枠とこの木枠に取り付けられる濾材とを示す拡大断面図。
【符号の説明】
【００３３】
１２            ・・・袋状の濾材
１２ａ、１２ｂ  ・・・濾材片
１４            ・・・セパレータ
１５            ・・・外枠
１６            ・・・支持部材
１７            ・・・カバー部材
１８            ・・・支持棒
１８ａ          ・・・端部突起
１８ｂ          ・・・くびれ部
１０１          ・・・外側枠
１０１ａ        ・・・側枠片
１０１ｂ        ・・・上下枠片
１０２          ・・・内側枠
１０２ａ        ・・・側枠片
１０２ｂ        ・・・上下枠片
１０３          ・・・空隙
１０４          ・・・受け穴
【図１】
2007229568.tif 000003
【図２】
2007229568.tif 000004
【図３】
2007229568.tif 000005
【図４Ａ】
2007229568.tif 000006
【図４Ｂ】
2007229568.tif 000007
【図５Ａ】
2007229568.tif 000008
【図５Ｂ】
2007229568.tif 000009
【図６Ａ】
2007229568.tif 000010
【図６Ｂ】
2007229568.tif 000011
【図７Ａ】
2007229568.tif 000012
【図７Ｂ】
2007229568.tif 000013
【図８】
2007229568.tif 000014
【図９】
2007229568.tif 000015
【図１０】
2007229568.tif 000016
【図１１】
2007229568.tif 000017
【図１２】
2007229568.tif 000018
【図１３】
2007229568.tif 000019